(57)【特許請求の範囲】
【請求項１】
リレーが装着されるリレー装着部と、ヒューズが装着されるヒューズ装着部とが設けられたリレーブロックが二つのブロックに分割され、両ブロックが一つにまとめられてフレーム内に収容されるとともに、複数の所定のヒューズ装着部はリレー装着部と電線で結線された電気接続箱において、
前記所定のヒューズ装着部ではヒューズ装着部自身が負荷側と電源側とに二分割され、
一方のブロックには前記リレー装着部が並設されるとともに、他方のブロックとの接合面に、二分割された前記所定のヒューズ装着部の内の負荷側装着部が形成され、
他方のブロックにおける前記一方のブロックとの接合面には、二分割された前記所定のヒューズ装着部の内の電源側装着部が形成され、
前記一方のブロックにおいて前記リレー装着部と、前記所定のヒューズ装着部の負荷側装着部とが電線で結線されていることを特徴とする電気接続箱。
【請求項２】
前記両ブロック同士を結合状態に保持するロック機構が、両ブロックの接合面の間に設けられていることを特徴とする請求項１記載の電気接続箱。
【発明の詳細な説明】
【０００１】
【発明の属する技術分野】
本発明は、リレー、ヒューズ等の電気部品をまとめて装着する電気接続箱に関する。
【０００２】
【従来の技術】
リレーブロックは一般に、リレーを装着するリレー装着部と、ヒューズを装着するヒューズ装着部とが複数ずつ整列して設けられ、リレー装着部とヒューズ装着部とからそれぞれに電線が引き出されるとともに、所定のリレー装着部とヒューズ装着部間を結線した構造となっている。ここでハーネスの布線作業等を考慮すると、リレーブロックを複数の小さなブロックに分割し、別々に組み付けた方が作業がしやすい。
そこで従来、図２２に示すように、リレー装着部１が配設されたリレー側ブロック２と、各種ヒューズ装着部３が配設されたヒューズ側ブロック４とに分割し、これらをまとめてフレーム５内に収容した、いわば分割型のものが一部で採用されている。なお、この種の分割型の電気接続箱は、特開平７−１５４９１４号公報に記載されている。
【０００３】
【発明が解決しようとする課題】
しかるにこの種のリレーボックスでは、上記のように所定のリレー装着部１とヒューズ装着部３間を結線する必要があるため、例えば、リレー側ブロック２とヒューズ側ブロック４の組み付けを別工程で行う場合には、両ブロック２，４を結合してフレーム５に収容する前に、リレー装着部１とヒューズ装着部３間の所定の結線作業を改めて行う必要がある。
もっとも上記の不具合は、両ブロック２，４について同じ図板上で布線すれば解消されるものの、その際、両ブロック２，４はある程度は離間して設置されてそれぞれの布線が行われなければ、作業がしやすいとは言えず、そうすると、リレー装着部１とヒューズ装着部３間の結線は、同図の細い鎖線で示すように、余分に長さを取った接続線６で行う必要がある。そのため、電線を余分に使用することで不経済となるばかりでなく、両ブロック２，４を結合する際に接続線６が絡んで、結合作業がやり難いという問題があり、さらなる改良が切望されていた。
本発明は上記のような事情に基づいて完成されたものであって、その目的は、組み付け作業性に優れかつ製造コストの低減も図った電気接続箱を提供するところにある。
【０００４】
【課題を解決するための手段】
上記の目的を達成するための手段として、請求項１の発明は、リレーが装着されるリレー装着部と、ヒューズが装着されるヒューズ装着部とが設けられたリレーブロックが二つのブロックに分割され、両ブロックが一つにまとめられてフレーム内に収容されるとともに、複数の所定のヒューズ装着部はリレー装着部と電線で結線された電気接続箱において、前記所定のヒューズ装着部ではヒューズ装着部自身が負荷側と電源側とに二分割され、一方のブロックには前記リレー装着部が並設されるとともに、他方のブロックとの接合面に、二分割された前記所定のヒューズ装着部の内の負荷側装着部が形成され、他方のブロックにおける前記一方のブロックとの接合面には、二分割された前記所定のヒューズ装着部の内の電源側装着部が形成され、前記一方のブロックにおいて前記リレー装着部と、前記所定のヒューズ装着部の負荷側装着部とが電線で結線されている構成としたところに特徴を有する。
請求項２の発明は、請求項１に記載のものにおいて、前記両ブロック同士を結合状態に保持するロック機構が、両ブロックの接合面の間に設けられているところに特徴を有する。
【０００５】
【発明の作用及び効果】
＜請求項１の発明＞
リレー装着部と結線される所定のヒューズ装着部を二分割して、結線される側の負荷側装着部を、リレー装着部を備えた一方のブロック側に配したから、リレー装着部とヒューズ装着部との間の結線を、両ブロック間に電線をわたすことなく、一方のブロック内で賄うことができる。
したがって、布線等の組み付け作業をブロックごとに行い、そのまま各ブロックを一つにまとめてフレームに収容するといった工程を踏むことができ、全体の組み付け作業がきわめて簡単となる。また、同じ図板上で各ブロックを離して組み付けを行うにしても、ブロック間にわたるような電線の余長を設けることが不要にでき、コスト低減を図ることができるとともに、ブロック同士を結合する場合に余長電線が絡むといったことが無くなって、ブロックの結合作業、ひいては全体の組み付け作業を能率良く行うことができる。
＜請求項２の発明＞
ブロック同士が結合されて分割状態にあった装着部が１つに繋がった場合に、間が広がったりずれたりすることなく、正規の受け入れ形状に確実に保持される。
【０００６】
【発明の実施の形態】
以下、本発明の一実施形態を図１ないし図２１に基づいて説明する。この実施形態は、本発明をリレーブロック１０（以下、Ｒ／Ｂという）に適用した場合を例示している。
本実施形態のＲ／Ｂ１０は、図１に示すように、分割された第１ブロック１１及び第２ブロック１２と、この両ブロック１１，１２を結合した状態で収容するフレーム１３（図２）とから構成されている。
【０００７】
第１ブロック１１と第２ブロック１２は、それぞれ合成樹脂材によって形成され、後記するように両ブロック１１，１２が一体結合された状態では、図２０に示すように、平面形状が横長の長方形となる。そしてその表面には、同図における上下方向の下側の領域では、リレー１５（図２１の鎖線参照）を装着するためのリレー装着部１６が並設され、また中央の領域では、左側に、ミニヒューズを装着するための第１ヒューズ装着部１８が、右側に、ミニヒュージブルリンクを装着するための第２ヒューズ装着部１９がそれぞれ並設されている。さらに、上側の領域では、中央部分に、ヒュージブルリンクを装着するための第３ヒューズ装着部２０が並設され、両端に、ミニヒュージブルリンクを装着するための第４ヒューズ装着部２１が設けられている。
【０００８】
第１ブロック１１と第２ブロック１２は、第１ヒューズ装着部１８と第２ヒューズ装着部１９が左右に並設された中央の領域において分割されている。
ミニヒューズ装着用の第１ヒューズ装着部１８は、複数個が繋がって形成されており、各第１ヒューズ装着部１８では、図３に示すように、対向したほぼ二面にフード２３が形成されているとともに、裏面側に、電線の端末に固着された端子金具（一部はバスバーまたは中継端子）が収容される収容室２４が形成され、ミニヒューズの端子と接続可能とされている。
この第１ヒューズ装着部１８が、同図（Ｂ）、（Ｃ）に示すように、負荷側装着部１８Ａと電源側装着部１８Ｂとに二分割されている。
【０００９】
一方のミニヒュージブルリンク装着用の第２ヒューズ装着部１９も、複数個が繋がって形成されており、各第２ヒューズ装着部１９では、図４に示すように、四隅にフード２３Ｘが立てられているとともに、裏面側に、電線の端末に固着された端子金具（一部はバスバーまたは中継端子）が収容される収容室２４Ｘが形成され、ミニヒュージブルリンクの端子と接続可能とされている。
この第２ヒューズ装着部１９が、同図（Ｂ）、（Ｃ）に示すように、負荷側装着部１９Ａと電源側装着部１９Ｂとに二分割されている。
【００１０】
したがって改めて説明すると、図１の下側の第１ブロック１１では、同図の下側に、リレー１５を装着するためのリレー装着部１６が並設されているとともに、相手の第２ブロック１２との接合面１１Ａに、両第１及び第２ヒューズ装着部１８，１９の内の負荷側装着部１８Ａ，１９Ａが形成されている。
一方、図１の上側の第２ブロック１２では、同図の上側において、ヒュージブルリンク装着用の第３ヒューズ装着部２０が並設され、その両端にミニヒュージブルリンク装着用の第４ヒューズ装着部２１が設けられているとともに、相手の第１ブロック１１との接合面１２Ａに、第１及び第２ヒューズ装着部１８，１９の内の電源側装着部１８Ｂ，１９Ｂが形成されている。
【００１１】
第１ブロック１１と第２ブロック１２の接合面１１Ａ，１２Ａの間には、両ブロック１１，１２間を結合状態にロックするためのロック機構部が設けられている。詳細には、長さ方向の中央部に１個の中央ロック部２５が、両端に２個の端ロック部３２がそれぞれ設けられている。
中央ロック部２５では、第１ブロック１１の接合面１１Ａに、図５及び図７にも示すように、断面Ｔ字形をなすロック体２６が、第１ブロック１１の表面よりも所定寸法下方の位置から縦向きに形成され、ロック体２６の表面の上部側に突起２７が形成されている。突起２７の上面側はテーパ面２７Ａとなっている。
【００１２】
一方、第２ブロック１２の接合面１２Ａには、図６及び図７にも示すように、上記のロック体２６がほぼ緊密に嵌合可能とされる下面開放のロック溝２８が形成されている。ロック溝２８は上壁２９により行き止まり状となっているとともに、奥壁の上部寄りの位置に、上記の突起２７が嵌まる係止孔３０が形成されている。
したがって、図７の矢線に示すように、第２ブロック１２側のロック溝２８が、第１ブロック１１側のロック体２６に上方から挿入され、ロック溝２８の上壁２９がロック体２６に突き当たると、図８に示すように、突起２７が係止孔３０に嵌まるようになっている。
【００１３】
また、端ロック部３２では、第２ブロック１２の接合面１２Ａに、図１０及び図１１にも示すように、同じく断面Ｔ字形をなすロック体３３が、第２ブロック１２の表面位置から縦向きに形成され、ロック体３３の表面の下部側に突起３４が形成されている。突起３４の下面側はテーパ面３４Ａとなっている。
一方、第１ブロック１１の接合面１１Ａには、図９及び図１１にも示すように、上記のロック体３３がほぼ緊密に嵌合可能とされる上面開放のロック溝３５が形成されている。ロック溝３５の奥壁の下部寄りの位置には、突起３４が嵌まる係止孔３７が形成されている。
したがって、図１１の矢線に示すように、第２ブロック１２側のロック体３３が、第１ブロック１１側のロック溝３５に上方から挿入され、両ブロック１１，１２の表面が面一となるまで押し込まれると、図１２に示すように、突起３４が係止孔３７に嵌まるようになっている。
【００１４】
第１ブロック１１と第２ブロック１２は、一体結合された状態でフレーム１３内に収容されるようになっている。フレーム１３は同じく合成樹脂製であって、図２に示すように、横長の長方形をなす枠状に形成されている。
両ブロック１１，１２とフレーム１３との取付機構は以下のようである。フレーム１３の両長辺側の枠４０の内面における両端部には、都合４個の取付体４１が形成されている。この取付体４１は、図１３、図１４及び図１７にも示すように、フレーム１３の上縁よりも少し下がった位置から下方に延出して形成され、その表面の幅方向の中央部には縦向きの係止溝４２が形成されているとともに、表面の両側縁からガイド翼４３が張り出し形成されている。
【００１５】
一方、上記した第１ブロック１１と第２ブロック１２には、それぞれ接合面１１Ａ，１２Ａとは反対側の面における両端部に、被取付部４５が形成されている。この被取付部４５には、図１５ないし図１７にも示すように、断面鈎形をなす一対の縦向きのレール４６が対向状に形成され、上端側が行き止まり状となっており、両レール４６間に、上記した取付体４１のガイド翼４３が下方から挿入可能とされている。両レール４６の間の位置には、弾性係止片４７が上方を向いた片持ち状に形成されて、先端側が内外に撓み変形可能となっており、この弾性係止片４７の先端側の外面に突部４８が形成されている。突部４８の下面側は、ガイド用にテーパ面４８Ａとなっている。
したがって、図１７に示すように、被取付部４５が取付体４１に向けて上方から挿入されると、弾性係止片４７を撓み変形させつつ押し込まれ、ガイド翼４３がレール４６の上面板４９に当たるまで押し込まれると、図１８に示すように、弾性係止片４７が復元変形しつつ突部４８が係止溝４２に嵌まり、抜け止め状態に係止されるようになっている。
【００１６】
続いて、Ｒ／Ｂ１０の組み付け手順の一例を説明する。
まず、第１ブロック１１と第２ブロック１２において、個別に布線等を行う。第１ブロック１１側では、図１９に示すように、リレー装着部１６から負荷側に接続される電線５１が引き出され、１本にまとめられる。それとともに、各リレー装着部１６と、第１及び第２ヒューズ装着部１８，１９の所定の負荷側装着部１８Ａ，１９Ａとの間が接続線５３で結線される。
一方の第２ブロック１２側では、第３及び第４ヒューズ装着部２０，２１、さらには第１及び第２ヒューズ装着部１８，１９の所定の電源側装着部１８Ｂ，１９Ｂから、電源側に接続される電線５２が引き出され、１本にまとめられる。
【００１７】
次に、第１ブロック１１と第２ブロック１２とが結合される。この場合は、第２ブロック１２側を上にして両ブロック１１，１２の接合面１１Ａ，１２Ａ同士が突き合うようにし、中央ロック部２５ではロック体２６を相手のロック溝２８の下面開口に合わせ、一方、端ロック部３２ではロック体３３を相手のロック溝３５の上面開口に合わせ、第２ブロック１２を接合面１１Ａ，１２Ａに沿って相対的に下方に摺動させる。
中央ロック部２５側では、図８に示すように、ロック体２６がロック溝２８の上壁２９に突き当たりつつ突起２７が係止孔３０に嵌まり、また、端ロック部３２側では、図１２に示すように、ロック体３３の突起３４が相手の係止孔３７に嵌まる。
【００１８】
上記により第１及び第２ブロック１１，１２は、図２０に示すように、表面が面一で、かつ両接合面１１Ａ，１２Ａが互いに接合した状態で一体結合される。これに伴い、分割されていた負荷側装着部１８Ａと電源側装着部１８Ｂとが繋がって、図３（Ａ）に示すように、第１ヒューズ装着部１８が形成され、また、同じく分割されていた負荷側装着部１９Ａと電源側装着部１９Ｂとが繋がって、図４（Ａ）に示すように、第２ヒューズ装着部１９が形成される。
【００１９】
両ブロック１１，１２が結合されたら、フレーム１３内に収容される。そのためには、各ブロック１１，１２から引き出された電線５１，５２をフレーム１３内に上方から通したのち、両ブロック１１，１２の合計４個の被取付部４５を、それぞれフレーム１３の対応する取付体４１に合わせ、図１７の矢線に示すように、下方に向けて押し込む。各被取付部４５は弾性係止片４７を撓み変形させつつ押し込まれ、ガイド翼４３がレール４６の上面板４９に当たるまで押し込まれると、図１８に示すように、弾性係止片４７が復元変形しつつ突部４８が係止溝４２に嵌まって係止し、図２１に示すように、両ブロック１１，１２はフレーム１３内において、表裏両面への抜け不能な状態で収容される。
【００２０】
これによりＲ／Ｂ１０の組み付けが完了し、その表面上には、リレー装着部１６とヒューズ装着部１８〜２１とが整列して配設され、リレー装着部１６からは負荷側の電線５１が、またヒューズ装着部１８〜２１からは電源側の電線５２がそれぞれに引き出されるとともに、リレー装着部１６と所定のヒューズ装着部１８，１９間が接続線５３で結線された状態となる。
そして最後に、リレー装着部１６にはリレー１５が、また各ヒューズ装着部１８〜２１には、図示はしないが対応するヒューズ（ミニヒューズ、ヒュージブルリンク及びミニヒュージブルリンク）がそれぞれ装着されて使用に供される。
【００２１】
以上説明したように本実施形態によれば、リレー装着部１６と結線される可能性のあるヒューズ装着部１８，１９を二分割して、結線される側の負荷側装着部１８Ａ，１９Ａを、リレー装着部１６を備えた第１ブロック１１側に配したから、リレー装着部１６とヒューズ装着部１８，１９との間の結線を、両ブロック１１，１２間に接続線をわたすことなく、第１ブロック１１内で賄うことができる。また、ヒューズ装着部１８，１９から電源側の電線５２が引き出される場合に、電源側装着部１８Ｂ，１９Ｂを第２ブロック１２側に配して、他のヒューズ装着部２０，２１と同様に引き出せるようにしたから、ヒューズ装着部１８〜２１から電源側の電線５２を引き出すに当たっても、両ブロック１１，１２間に接続線をわたす必要はない。
【００２２】
したがって、布線等の組み付け作業を第１及び第２ブロック１１，１２ごとに行い、そのまま両ブロック１１，１２を一つにまとめてフレーム１３に収容するといった工程が踏め、全体の組み付け作業がきわめて簡単となる。
また、同じ図板上において両ブロック１１，１２を離して組み付けを行うにしても、ブロック１１，１２間にわたるような電線の余長を設けることが不要にでき、コスト低減を図ることができるとともに、ブロック１１，１２同士を結合する場合に余長電線が絡むといったことが無くなって、ブロック１１，１２の結合作業、ひいては全体の組み付け作業を能率良く行うことができる。
【００２３】
また、両ブロック１１，１２同士を結合する場合に、それらの接合面１１Ａ，１２Ａにおける長さ方向の中央部と両端部との都合３箇所にロック部２５，３２を設けたから、両接合面１１Ａ，１２Ａを正規に接合して結合することができ、分割されたヒューズ装着部１８，１９が１つに繋がった場合に、間が広がったりずれたりすることなく、正規の受け入れ形状に保持される。その結果、対応するヒューズをスムーズかつ正確に装着でき、端子同士の接続も高い信頼性を持って行われる。
【図面の簡単な説明】
【図１】本発明の一実施形態に係る分割状態のブロックの平面図
【図２】フレームの平面図
【図３】（Ａ）第１ヒューズ装着部の平面図（Ｂ）その分割状態の平面図（Ｃ）同断面図
【図４】（Ａ）第２ヒューズ装着部の平面図（Ｂ）その分割状態の平面図（Ｃ）同断面図
【図５】第１ブロックにおける中央ロック部の正面図
【図６】第２ブロックにおける中央ロック部の正面図
【図７】中央ロック部のロック動作を示す断面図
【図８】そのロック完了時の断面図
【図９】第１ブロックにおける端ロック部の正面図
【図１０】第２ブロックにおける端ロック部の正面図
【図１１】端ロック部のロック動作を示す断面図
【図１２】そのロック完了時の断面図
【図１３】フレーム側の取付体の平面図
【図１４】その正面図
【図１５】ブロック側の被係止部の平面図
【図１６】その正面図
【図１７】取付体と被係止部との取付動作を示す断面図
【図１８】その取付完了時の断面図
【図１９】各ブロックに布線した状態の平面図
【図２０】両ブロックを結合した状態の平面図
【図２１】組み付けが完了したＲ／Ｂの平面図
【図２２】従来例の平面図
【符号の説明】
１０…Ｒ／Ｂ（電気接続箱）
１１…第１ブロック
１１Ａ…接合面
１２…第２ブロック
１２Ａ…接合面
１３…フレーム
１５…リレー（電気部品）
１６…リレー装着部
１８〜２１…ヒューズ装着部
１８Ａ…（第１ヒューズ装着部１８の）負荷側装着部
１８Ｂ…（第１ヒューズ装着部１８の）電源側装着部
１９Ａ…（第２ヒューズ装着部１９の）負荷側装着部
１９Ｂ…（第２ヒューズ装着部１９の）電源側装着部
２５…中央ロック部
３２…端ロック部
４１…取付体
４５…被取付部
５１…（負荷側の）電線
５２…（電源側の）電線
５３…接続線
【図１】
0004055383.tif 000002
【図２】
0004055383.tif 000003
【図３】
0004055383.tif 000004
【図４】
0004055383.tif 000005
【図５】
0004055383.tif 000006
【図６】
0004055383.tif 000007
【図７】
0004055383.tif 000008
【図８】
0004055383.tif 000009
【図９】
0004055383.tif 000010
【図１０】
0004055383.tif 000011
【図１１】
0004055383.tif 000012
【図１２】
0004055383.tif 000013
【図１３】
0004055383.tif 000014
【図１４】
0004055383.tif 000015
【図１５】
0004055383.tif 000016
【図１６】
0004055383.tif 000017
【図１７】
0004055383.tif 000018
【図１８】
0004055383.tif 000019
【図１９】
0004055383.tif 000020
【図２０】
0004055383.tif 000021
【図２１】
0004055383.tif 000022
【図２２】
0004055383.tif 000023